【手続補正書】
【提出日】平成19年2月21日(2007.2.21)
【手続補正１】
【補正対象書類名】特許請求の範囲
【補正対象項目名】全文
【補正方法】変更
【補正の内容】
【特許請求の範囲】
【請求項１】
表面実装可能な電気回路保護装置であって、
その上にたった１つの電極が配置されている第１電気絶縁性支持基材と；
導電性粒子を分散させたポリマーからなり、かつ、第１端部及び第２端部とそれらの間に延在する第１表面及び第２表面とを有する第１ＰＴＣ素子と；
第１端部及び第２端部を有するとともに、第１表面上に第１電極が配置されており、かつ、第２表面上に第２電極が配置されている第２電気絶縁性支持基材であって、当該第２電気絶縁性支持基材上の第１表面上に配置された第１電極が当該第２電気絶縁性支持基材の第１端部ではなく当該第２電気絶縁性支持基材の第２端部に延びており、当該第２電気絶縁性支持基材の第２表面上に配置された第２電極が当該第２電気絶縁性支持基材の第２端部ではなく当該第２電気絶縁性支持基材の第１端部に延びている第２電気絶縁性支持基材と；
導電性粒子を分散させたポリマーからなり、かつ、第１端部及び第２端部とそれらの間に延在する第１表面及び第２表面とを有する第２ＰＴＣ素子と；
その上にたった１つの電極が配置されている第３電気絶縁性支持基材と；
当該電気回路保護装置の第１端部を包み込んでいる第１導電性終端部と；
当該電気回路保護装置の第２端部を包み込んでいる第２導電性終端部と；
を含み、
前記第１ＰＴＣ素子は、
（ｉ）前記第１電気絶縁性支持基材上に配置された前記電極が、当該第１ＰＴＣ素子の第１表面上にも配置されており、かつ、当該第１ＰＴＣ素子の第２端部ではなく当該第１ＰＴＣ素子の第１端部に延びるように、及び
（ｉｉ）前記第２電気絶縁性支持基材上に配置された第１電極が、当該第１ＰＴＣ素子の第２表面上にも配置されており、かつ、当該第１ＰＴＣ素子の第１端部ではなく当該第１ＰＴＣ素子の第２端部に延びるように、
前記第１電気絶縁性支持基材と第２電気絶縁性支持基材の間に配置されており、
前記第２ＰＴＣ素子は、
（ｉ）前記第２電気絶縁性支持基材上に配置された第２電極が、当該第２ＰＴＣ素子の第１表面上にも配置されており、かつ、当該第２ＰＴＣ素子の第２端部ではなく当該第２ＰＴＣ素子の第１端部に延びるように、及び
（ｉｉ）前記第３電気絶縁性支持基材上に配置された前記電極が、当該第２ＰＴＣ素子の第２表面上にも配置されており、かつ、当該第２ＰＴＣ素子の第１端部ではなく当該第２ＰＴＣ素子の第２端部に延びるように、
前記第２電気絶縁性支持基材と第３電気絶縁性支持基材の間に配置されていることを特徴とする表面実装可能な電気回路保護装置。
【請求項２】
第１、第２及び第３電気絶縁性支持基材がセラミック、ＦＲ−４エポキシ、ガラス及びメラミンからなる群から選ばれる材料から形成されたものである請求項１記載の表面実装可能な電気回路保護装置。
【請求項３】
第１及び第２ＰＴＣ素子が並列に電気的に接続されている請求項１記載の表面実装可能な電気回路保護装置。
【請求項４】
第１及び第２導電性終端部が第１及び第２導電性層からなる請求項１記載の表面実装可能な電気回路保護装置。
【請求項５】
第１及び第２導電性終端部の第１導電性層が銅からなる請求項４記載の表面実装可能な電気回路保護装置。
【請求項６】
第１及び第２導電性終端部の第２導電性層が錫からなる請求項４記載の表面実装可能な電気回路保護装置。
【請求項７】
第１導電性終端部が第３電気絶縁性支持基材上に配置されている電極及び第２電気絶縁性支持基材上に配置されている第１電極に直接接触している請求項１記載の表面実装可能な電気回路保護装置。
【請求項８】
第２導電性終端部が第２電気絶縁性支持基材上に配置されている第２電極及び第１電気絶縁性支持基材上に配置されている電極に直接接触している請求項７記載の表面実装可能な電気回路保護装置。
【請求項９】
電流を前記表面実装可能な電気回路保護装置に流した場合に、電流が第１導電性終端部から第３電気絶縁性支持基材上に配置されている電極及び第２電気絶縁性支持基材上に配置されている第１電極に流れ、第１及び第２ＰＴＣ素子を通じて第２電気絶縁性支持基材上に配置されている第２電極及び第１電気絶縁性支持基材上に配置されている電極に流れ、第２導電性終端部に流れる、請求項８記載の表面実装可能な電気回路保護装置。
【請求項１０】
表面実装可能な電気回路保護装置であって、
第１表面上に１つの電極が配置されている第１電気絶縁性支持基材と；
第１端部及び第２端部を有するとともに、第１表面上に第１電極が配置されており、かつ、第２表面上に第２電極が配置されている第２電気絶縁性支持基材であって、当該第２電気絶縁性支持基材上の第１表面上に配置された第１電極が当該第２電気絶縁性支持基材の第１端部及び第２端部のうちの一方に延びており、それらのうちの他方には延びておらず、当該第２電気絶縁性支持基材の第２表面上に配置された第２電極が当該第２電気絶縁性支持基材の第１端部及び第２端部のうちの一方に延びており、それらのうちの他方には延びていない第２電気絶縁性支持基材と；
第１表面上に第１電極が配置されており、かつ、第２表面上に第２電極が配置されている第３電気絶縁性支持基材と；
第１表面上に１つの電極が配置されている第４電気絶縁性支持基材と；
導電性粒子を分散させたポリマーからなる第１層状ＰＴＣ素子であって、前記第１電気絶縁性支持基材と前記第２電気絶縁性支持基材の間に配置されていて前記第１電気絶縁性支持基材上に配置されている前記電極と前記第２電気絶縁性支持基材上に配置されている第１電極とを電気的に接続している第１層状ＰＴＣ素子と；
導電性粒子を分散させたポリマーからなる第２層状ＰＴＣ素子であって、前記第２電気絶縁性支持基材と前記第３電気絶縁性支持基材の間に配置されていて前記第２電気絶縁性支持基材上に配置されている第２電極と前記第３電気絶縁性支持基材上に配置されている第１電極とを電気的に接続している第２層状ＰＴＣ素子と；
導電性粒子を分散させたポリマーからなる第３層状ＰＴＣ素子であって、前記第３電気絶縁性支持基材と前記第４電気絶縁性支持基材の間に配置されていて前記第３電気絶縁性支持基材上に配置されている第２電極と前記第４電気絶縁性支持基材上に配置されている前記電極とを電気的に接続している第３層状ＰＴＣ素子と；
当該電気回路保護装置の第１端部を包み込んでおり、かつ、前記第４電気絶縁性支持基材上に配置されている前記電極と、前記第３電気絶縁性支持基材上に配置されている第１電極と、前記第２電気絶縁性支持基材上に配置されている第１電極とを電気的に接続している第１導電性終端部と；
当該電気回路保護装置の第２端部を包み込んでおり、かつ、前記第３電気絶縁性支持基材上に配置されている第２電極と、前記第２電気絶縁性支持基材上に配置されている第２電極と、前記第１電気絶縁性支持基材上に配置されている前記電極とを電気的に接続している第２導電性終端部と；
を含む表面実装可能な電気回路保護装置。
【請求項１１】
第１導電性終端部が前記表面実装可能な電気回路保護装置の一方の端部近傍の第１及び第４電気絶縁性支持基材上に配置されている請求項１０記載の表面実装可能な電気回路保護装置。
【請求項１２】
第２導電性終端部が前記表面実装可能な電気回路保護装置の第２端部近傍の第１及び第４電気絶縁性支持基材上に配置されている請求項１０記載の表面実装可能な電気回路保護装置。
【請求項１３】
第１電気絶縁性支持基材が第１端部及び第２端部を有し、第１電気絶縁性支持基材の第１表面上に配置されている前記電極が当該第１電気絶縁性支持基材の第２端部まで延びているが第１端部には延びていない請求項１０記載の表面実装可能な電気回路保護装置。
【請求項１４】
第２電気絶縁性支持基材が第１端部及び第２端部を有し、第２電気絶縁性支持基材の第１表面上に配置されている第１電極が当該第２電気絶縁性支持基材の第１端部まで延びているが第２端部には延びておらず、第２電気絶縁性支持基材の第２表面上に配置された第２電極が当該第２電気絶縁性支持基材の第２端部まで延びているが第１端部には延びていない請求項１０記載の表面実装可能な電気回路保護装置。
【請求項１５】
第３電気絶縁性支持基材が第１端部及び第２端部を有し、第３電気絶縁性支持基材の第１表面上に配置されている第１電極が当該第３電気絶縁性支持基材の第１端部まで延びているが第２端部には延びておらず、第３電気絶縁性支持基材の第２表面上に配置された第２電極が当該第３電気絶縁性支持基材の第２端部まで延びているが第１端部には延びていない請求項１０記載の表面実装可能な電気回路保護装置。
【請求項１６】
第４電気絶縁性支持基材が第１端部及び第２端部を有し、第４電気絶縁性支持基材の第１表面上に配置されている前記電極が第４電気絶縁性支持基材の第１端部まで延びているが第２端部には延びていない請求項１０記載の表面実装可能な電気回路保護装置。
【請求項１７】
表面実装可能な電気回路保護装置であって、
第１表面上に１つの電極が配置されている第１電気絶縁性支持基材と；
第１端部及び第２端部を有するとともに、第１表面上に第１電極が配置されており、かつ、第２表面上に第２電極が配置されている第２電気絶縁性支持基材であって、当該第２電気絶縁性支持基材の第１表面上に配置された第１電極が当該第２電気絶縁性支持基材の第２端部ではなく第１端部に延びており、当該第２電気絶縁性支持基材の第２表面上に配置された第２電極が当該第２電気絶縁性支持基材の第１端部ではなく第２端部に延びている第２電気絶縁性支持基材と；
第１表面上に第１電極が配置されており、かつ、第２表面上に第２電極が配置されている第３電気絶縁性支持基材と；
第１表面上に１つの電極が配置されている第４電気絶縁性支持基材と；
導電性粒子を分散させたポリマーからなる第１層状ＰＴＣ素子であって、前記第１電気絶縁性支持基材と前記第２電気絶縁性支持基材の間に配置されていて前記第１電気絶縁性支持基材上に配置されている前記電極と前記第２電気絶縁性支持基材上に配置されている第１電極とを電気的に接続している第１層状ＰＴＣ素子と；
導電性粒子を分散させたポリマーからなる第２層状ＰＴＣ素子であって、前記第２電気絶縁性支持基材と前記第３電気絶縁性支持基材の間に配置されていて前記第２電気絶縁性支持基材上に配置されている第２電極と前記第３電気絶縁性支持基材上に配置されている第１電極とを電気的に接続している第２層状ＰＴＣ素子と；
導電性粒子を分散させたポリマーからなる第３層状ＰＴＣ素子であって、前記第３電気絶縁性支持基材と前記第４電気絶縁性支持基材の間に配置されていて前記第３電気絶縁性支持基材上に配置されている第２電極と前記第４電気絶縁性支持基材上に配置されている前記電極とを電気的に接続している第３層状ＰＴＣ素子と；
当該電気回路保護装置の第１端部を包み込んでおり、かつ、前記第４電気絶縁性支持基材上に配置されている前記電極と、前記第３電気絶縁性支持基材上に配置されている第１電極と、前記第２電気絶縁性支持基材上に配置されている第１電極とを電気的に接続している第１導電性終端部と；
当該電気回路保護装置の第２端部を包み込んでおり、かつ、前記第３電気絶縁性支持基材上に配置されている第２電極と、前記第２電気絶縁性支持基材上に配置されている第２電極と、前記第１電気絶縁性支持基材上に配置されている前記電極とを電気的に接続している第２導電性終端部と；
を含む表面実装可能な電気回路保護装置。
【請求項１８】
第３電気絶縁性支持基材が第１端部及び第２端部を有し、第３電気絶縁性支持基材の第１表面上に配置されている第１電極が当該第３電気絶縁性支持基材の第１端部まで延びているが第２端部には延びておらず、第３電気絶縁性支持基材の第２表面上に配置された第２電極が当該第３電気絶縁性支持基材の第２端部まで延びているが第１端部には延びていない請求項１７記載の表面実装可能な電気回路保護装置。
【請求項１９】
表面実装可能な電気回路保護装置であって、
第１表面上に１つの電極が配置されている第１電気絶縁性支持基材と；
第１表面上に第１電極が配置されており、かつ、第２表面上に第２電極が配置されている第２電気絶縁性支持基材と；
第１端部及び第２端部を有するとともに、第１表面上に第１電極が配置されており、かつ、第２表面上に第２電極が配置されている第３電気絶縁性支持基材であって、当該第３電気絶縁性支持基材の第１表面上に配置された第１電極が当該第３電気絶縁性支持基材の第２端部ではなく第１端部に延びており、当該第３電気絶縁性支持基材の第２表面上に配置された第２電極が当該第３電気絶縁性支持基材の第１端部ではなく第２端部に延びている第３電気絶縁性支持基材と；
第１表面上に１つの電極が配置されている第４電気絶縁性支持基材と；
導電性粒子を分散させたポリマーからなる第１層状ＰＴＣ素子であって、前記第１電気絶縁性支持基材と前記第２電気絶縁性支持基材の間に配置されていて前記第１電気絶縁性支持基材上に配置されている前記電極と前記第２電気絶縁性支持基材上に配置されている第１電極とを電気的に接続している第１層状ＰＴＣ素子と；
導電性粒子を分散させたポリマーからなる第２層状ＰＴＣ素子であって、前記第２電気絶縁性支持基材と前記第３電気絶縁性支持基材の間に配置されていて前記第２電気絶縁性支持基材上に配置されている第２電極と前記第３電気絶縁性支持基材上に配置されている第１電極とを電気的に接続している第２層状ＰＴＣ素子と；
導電性粒子を分散させたポリマーからなる第３層状ＰＴＣ素子であって、前記第３電気絶縁性支持基材と前記第４電気絶縁性支持基材の間に配置されていて前記第３電気絶縁性支持基材上に配置されている第２電極と前記第４電気絶縁性支持基材上に配置されている前記電極とを電気的に接続している第３層状ＰＴＣ素子と；
当該電気回路保護装置の第１端部を包み込んでおり、かつ、前記第４電気絶縁性支持基材上に配置されている前記電極と、前記第３電気絶縁性支持基材上に配置されている第１電極と、前記第２電気絶縁性支持基材上に配置されている第１電極とを電気的に接続している第１導電性終端部と；
当該電気回路保護装置の第２端部を包み込んでおり、かつ、前記第３電気絶縁性支持基材上に配置されている第２電極と、前記第２電気絶縁性支持基材上に配置されている第２電極と、前記第１電気絶縁性支持基材上に配置されている前記電極とを電気的に接続している第２導電性終端部と；
を含む表面実装可能な電気回路保護装置。
【請求項２０】
第２電気絶縁性支持基材が第１端部及び第２端部を有し、第２電気絶縁性支持基材の第１表面上に配置されている第１電極が当該第２電気絶縁性支持基材の第１端部まで延びているが第２端部には延びておらず、第２電気絶縁性支持基材の第２表面上に配置された第２電極が第２電気絶縁性支持基材の第２端部まで延びているが第１端部には延びていない請求項１９記載の表面実装可能な電気回路保護装置。
【請求項２１】
表面実装可能な電気回路保護装置であって、
第１表面上に１つの電極が配置されている第１電気絶縁性支持基材と；
第１端部及び第２端部を有するとともに、第１表面上に第１電極が配置されており、かつ、第２表面上に第２電極が配置されている第２電気絶縁性支持基材であって、当該第２電気絶縁性支持基材の第１表面上に配置された第１電極が当該第２電気絶縁性支持基材の第２端部ではなく第１端部に延びており、当該第２電気絶縁性支持基材の第２表面上に配置された第２電極が当該第２電気絶縁性支持基材の第１端部ではなく第２端部に延びている第２電気絶縁性支持基材と；
第１端部及び第２端部を有するとともに、第１表面上に第１電極が配置されており、かつ、第２表面上に第２電極が配置されている第３電気絶縁性支持基材であって、当該第３電気絶縁性支持基材の第１表面上に配置された第１電極が当該第３電気絶縁性支持基材の第２端部ではなく第１端部に延びており、当該第３電気絶縁性支持基材の第２表面上に配置された第２電極が当該第３電気絶縁性支持基材の第１端部ではなく第２端部に延びている第３電気絶縁性支持基材と；
第１表面上に１つの電極が配置されている第４電気絶縁性支持基材と；
導電性粒子を分散させたポリマーからなる第１層状ＰＴＣ素子であって、前記第１電気絶縁性支持基材と前記第２電気絶縁性支持基材の間に配置されていて前記第１電気絶縁性支持基材上に配置されている前記電極と前記第２電気絶縁性支持基材上に配置されている第１電極とを電気的に接続している第１層状ＰＴＣ素子と；
導電性粒子を分散させたポリマーからなる第２層状ＰＴＣ素子であって、前記第２電気絶縁性支持基材と前記第３電気絶縁性支持基材の間に配置されていて前記第２電気絶縁性支持基材上に配置されている第２電極と前記第３電気絶縁性支持基材上に配置されている第１電極とを電気的に接続している第２層状ＰＴＣ素子と；
導電性粒子を分散させたポリマーからなる第３層状ＰＴＣ素子であって、前記第３電気絶縁性支持基材と前記第４電気絶縁性支持基材の間に配置されていて前記第３電気絶縁性支持基材上に配置されている第２電極と前記第４電気絶縁性支持基材上に配置されている前記電極とを電気的に接続している第３層状ＰＴＣ素子と；
当該電気回路保護装置の第１端部を包み込んでおり、かつ、前記第４電気絶縁性支持基材上に配置されている前記電極と、前記第３電気絶縁性支持基材上に配置されている第１電極と、前記第２電気絶縁性支持基材上に配置されている第１電極とを電気的に接続している第１導電性終端部と；
当該電気回路保護装置の第２端部を包み込んでおり、かつ、前記第３電気絶縁性支持基材上に配置されている第２電極と、前記第２電気絶縁性支持基材上に配置されている第２電極と、前記第１電気絶縁性支持基材上に配置されている前記電極とを電気的に接続している第２導電性終端部と；
を含む表面実装可能な電気回路保護装置。